(57)【要約】【課題】  軽量化した簡易な構造としたことで、施工性を向上させ、しかも建物外観の緑化デザインに自由度をもたせた。【解決手段】  緑化構造１は、網目が形成され設置面２を覆うように敷設された網部材３と、発泡体を主成分とした軽量材からなる植物６を植栽させた培土基盤５とを備えている。網部材３の任意の位置に、培土基盤５に埋め込んで一体化させた骨組部材４を脱着可能に連結している。骨組部材４は、培土基盤５の周囲から張り出して網部材３に固定させる張出し部を形成している。【選択図】      図１
2006345715.tif 000002
【特許請求の範囲】
【請求項１】
建物の壁面や傾斜屋根などの設置面を覆うように敷設した網部材と、
軽量材からなる植物を植栽させた培土基盤と、
を備え、
前記網部材の任意の位置に、前記培土基盤に一体化させた連結部材を脱着可能に連結したことを特徴とする建物の緑化構造。
【請求項２】
前記培土基盤は、発泡体を主成分とした材料により形成されていることを特徴とする請求項１に記載の建物の緑化構造。
【請求項３】
前記連結部材は、前記培土基盤に埋め込まれ、前記連結部材の少なくとも一部を前記培土基盤の周囲から張り出して前記網部材に固定させる張出し部を形成していることを特徴とする請求項１又は２に記載の建物の緑化構造。
【請求項４】
前記連結部材は、前記培土基盤の周囲を囲う枠部材と、該枠部材を前記網部材に取り付ける係止部材とを備えていることを特徴とする請求項１又は２に記載の建物の緑化構造。
【発明の詳細な説明】
【技術分野】
【０００１】
本発明は、壁面や傾斜屋根などを緑化する建物の緑化構造に関する。
【背景技術】
【０００２】
従来、都市部におけるヒートアイランド現象の緩和や大気の浄化、アメニティ空間の創出などを目的に、建物の壁面、傾斜屋根などの緑化が試みられている。
緑化構造として、壁面又は傾斜屋根などの設置面に植栽基盤を設置する構造が、例えば以下の特許文献１乃至特許文献３に開示されている。
特許文献１及び特許文献２は、枠体に土壌を組み込んで構成したユニット型の植栽基盤（以下、植栽ユニットとする）を、壁面又は傾斜屋根の設置面に、例えば棒状の鋼材からなる枠部材を縦横方向に組み合わせて設置しておき、この枠部材にコケやセダム等の植物を植栽させてなる植栽ユニットを取り付けている。
特許文献３は、屋上やベランダなどの上方に支持をとってワイヤーなどの支持部材を吊り下げ、この支持部材の所定位置に植栽ユニットを固定させる構造である。このような吊り下げによる植栽ユニットは、いわゆるプランターと同様に植物の植栽面を上向きにして、例えば蔓性植物が植栽され、支持部材に沿わせるように誘導させたり、又は植栽ユニットから垂下させたものである。
【特許文献１】特開２００４−１５０１３９号公報
【特許文献２】特開２００２−９５３４７号公報
【特許文献３】特開２００４−２４８５５０号公報
【発明の開示】
【発明が解決しようとする課題】
【０００３】
しかしながら、特許文献１及び特許文献２で提案されている植栽ユニットを壁面又は傾斜屋根に設置する緑化構造は、植栽ユニットが枠部材の所定位置で固定されているため、他の植栽ユニットに取り替えることが難しく、例えば商用の建物において他の植物に変更したい場合など、建物外観のイメージを自由に変更することが困難であり、緑化デザインの自由度が低いという欠点があった。
そして、植栽ユニットは、枠内全体にわたって土壌が敷き詰められていることから単体重量が大きくなっている。このため、枠部材は、植栽ユニットを壁面や傾斜屋根で支持させるため、その資材や固定状態を強固なものにする必要があり、資材コストが大きくなっている。さらに、予め設置面に枠部材を組み込んだ構造としておく必要があることから、施工が手間となりコストがかかる。
また、特許文献３は、設置面に固定した枠部材に蔓性植物を沿わせることで設置面を覆って緑化させるため、設置後に植物を移動させることが難しく、建物外観における緑化デザインの自由度が低いという問題があった。
【０００４】
本発明は、上述する問題点に鑑みてなされたもので、軽量化した簡易な構造としたことで、施工性を向上させ、しかも建物外観の緑化デザインに自由度をもたせた建物の緑化構造を提供することを目的とする。
【課題を解決するための手段】
【０００５】
上記目的を達成するため、本発明に係る建物の緑化構造では、建物の壁面や傾斜屋根などの設置面を覆うように敷設した網部材と、軽量材からなる植物を植栽させた培土基盤とを備え、網部材の任意の位置に、培土基盤に一体化させた連結部材を脱着可能に連結したことを特徴としている。
本発明では、連結部材が網部材に脱着可能に設けられていることから、設置後に連結部材を網部材から取り外すことができるため、培土基盤の配置を変更したり、取り替えることができる。
【０００６】
また、本発明に係る建物の緑化構造では、培土基盤は、発泡体を主成分とした材料により形成されていることが好ましい。
本発明では、例えば主成分をなす無機質発泡体に熱融着性を有する繊維材料を配合させて熱処理により固化させることで培土基盤を形成することができる。この繊維同士の接着と繊維及び無機質発泡体の接着とがなされて三次元の網状の補強構造が得られているため、軽量化を図れ、形状を保つことができる。したがって、このような材料からなる培土基盤を支持する網部材を簡易な構造とすることができる。
【０００７】
また、本発明に係る建物の緑化構造では、連結部材は、培土基盤に埋め込まれ、連結部材の少なくとも一部を培土基盤の周囲から張り出して網部材に固定させる張出し部を形成していることが好ましい。
本発明では、連結部材の張出し部を網部材に固定することで、培土基盤を網部材の敷設範囲に取り付けることができる。
【０００８】
また、本発明に係る建物の緑化構造では、連結部材は、培土基盤の周囲を囲う枠部材と、枠部材を網部材に取り付ける係止部材とを備えていることが好ましい。
本発明では、係止部材を介して枠部材を網部材に固定することで、培土基盤を網部材の敷設範囲に取り付けることができる。
【発明の効果】
【０００９】
本発明の建物の緑化構造によれば、培土基盤を設置した後で、案内支持部材が延設されている範囲で自由に取付け位置を変更することで、培土基盤の配置を変更することができ、また、例えば種類や色の異なる植物が植栽された培土基盤に取り替えることができる。したがって、建物外観における緑化デザインの自由度を高くすることができる。
また、培土基盤が軽量であるため、網部材を軽量化させて構造を簡単化でき、資材コストの低減が図れる。そして、網部材や培土基盤の設置作業を簡略化させることができるため、施工時間を短縮することができ、施工性を向上させることができる。
【発明を実施するための最良の形態】
【００１０】
以下、本発明の第一の実施の形態による建物の緑化構造について、図１及び図２に基づいて説明する。
図１は本発明の第一の実施の形態による緑化構造を示す全体図、図２は培土基盤の構造を示す図であって、（ａ）はその正面図、（ｂ）はその側面図である。
【００１１】
図１に示すように、本第一の実施の形態による緑化構造１は、建物における壁面や傾斜屋根などの設置面２に設置されている。
図１に示す本緑化構造１は、網目が形成され設置面２を覆うように敷設された網部材３と、網部材３の任意の位置に脱着可能に連結するための軽量なネットなどからなる骨組部材４（連結部材）と、骨組部材４を埋め込み一体化させて軽量材からなる培土基盤５と、培土基盤５に植栽された植物６とから概略構成されている。
そして、本第一の実施の形態では設置面２において、複数の培土基盤５が縦横方向に任意の間隔で配置されている。
なお、培土基盤５に植栽される植物６は、例えばコケ、セダム、蔓植物などのグランドカバー植物（下草）などが好ましい。
【００１２】
図１に示す網部材３は、例えば軽量なポリエチレン製、ナイロン製などの材質の線状部材を格子状に編み込んだネットをなしている。そして、網部材３を設置面２に敷設する方法は、例えば上方から吊り下げる方法や、アンカーなどによって設置面２に直接固定する方法が好ましい。なお、図１に示す網部材３の大きさは、任意であり、複数に分割されていてもよい。
【００１３】
図１に示す培土基盤５は、例えば、特開２００２−１１９１３０号公報に記載されている基材、即ち、パーライトなどの無機質発泡体に熱融着性繊維を配合させて熱処理により固化してなる基材を使用する。
このように固化された培土基盤５は、熱融着性を有する繊維同士の接着と繊維及び無機質発泡体の接着とがなされて三次元の網状の補強構造が得られているため、特別な枠材や袋などによって周囲を覆う必要がなく、その形状を保つことができる。このため、風などの影響により飛散することがない。さらに、培土基盤５の主成分をなす無機質発泡体の単位体積当り重量は、例えば０．５ｋｇ／リットル以下となるため、軽量で、適度な保水性能と排水性能を有している。
このような材質からなる培土基盤５は、図１及び図２に示すように、例えば略正方形で一定の厚さを有した箱状に形成されている。
【００１４】
図２（ａ）及び（ｂ）に示すように、培土基盤５に埋め込まれた連結部材４は、培土基盤５の略正方形をなす外形より一回り大きな外形をなしている。そして、骨組部材４は、培土基盤５の正面５ａに対して平行に配置され、培土基盤５の四方外周より外側に張り出した張出し部４ａを形成している。
【００１５】
このように本緑化構造１では、図１及び図２に示すように、骨組部材４の張出し部４ａを網部材３に、例えば紐材などの締結材やクリップなどの脱着作業の容易な固定部材（図示省略）によって連結させる。これにより、培土基盤５を網部材３に配設して緑化することができる。
このように、培土基盤５を脱着可能としたことで、設置後に培土基盤５を網部材３から容易に取り外すことができる。
【００１６】
上述した本第一の実施の形態による建物の緑化構造では、培土基盤５を網部材３の敷設範囲で自由に取付け位置を変更することで、配置を変更することができる。また、例えば種類や色の異なる植物６を植栽した培土基盤５に取り替えることができ、メンテナンスなどを行う場合に、培土基盤５を網部材３から取り外すことができる。したがって、建物外観における緑化デザインの自由度を高くすることができる。
また、上述した本第一の実施の形態による建物の緑化構造では、培土基盤４が軽量であるため、網部材３を軽量化させて構造を簡単化でき、資材コストの低減が図れる。そして、網部材３や培土基盤５の設置作業を簡略化させることができるため、施工時間を短縮することができ、施工性を向上させることができる。
また、固化培土を使用することにより培土を入れる袋やパレット枠などが不要となり、これにより緑化構造１の構成を簡略化、軽量化させることができ且つ施工が容易となる。
さらに、本緑化構造１では、建物の設置面２の任意の範囲に植物６を設置して緑化させることにより、温度低減効果を奏し、都市のヒートアイランド現象の抑制に寄与することができる。
【００１７】
次に、本発明の第二の実施の形態について、図３及び図４に基づいて説明するが、上述の第一の実施の形態と同一又は同様な部材、部分には同一の符号を用いて説明を省略し、第一の実施の形態と異なる構成について説明する。
図３は本発明の第二の実施の形態による緑化構造の培土基盤を示す図であって、（ａ）はその正面図、（ｂ）はその上面図、（ｃ）はその側面図、図４は図３に示す培土基盤に使用される係止部材の図である。
図３（ａ）に示すように、本第二の実施の形態は、第一の実施の形態で説明した連結部材４（図１参照）に代えて、金網などからなる枠部材７（連結部材）を用いた緑化構造１である。
【００１８】
図３（ａ）〜（ｃ）に示すように枠部材７は、培土基盤５の周囲を囲うようにして一体化された略網形状の枠体からなる。この培土基盤５は、正面７ａ、裏面７ｂ、底面７ｃが線材を格子状にして形成され、枠部材７の正面７ａと裏面７ｂとの間に挟み込まれている。また、図３（ａ）に示すように、枠部材７の両側面７ｄ、７ｄと上面７ｅにおいて、枠部材の枠材７１、７１同士（図３（ｂ）、（ｃ）参照）を連結する係止部材８（図４参照）が設けられている。この係止部材８は、図４に示すように、両端がカール状に形成された係止部８ａ、８ａを有する薄い平板をなし、この係止部８ａが枠部材７の枠材７１、７１に係止される。
また、図３（ｂ）及び（ｃ）に示すように、枠部材７の裏面７ｂの上端にはフック形状の留め部材９が備えられ、この留め部材９を網部材３（図１参照）に連結させることで、培土基盤５を網部材３に固定させることができる。
なお、図３に示すように、培土基盤５の上端に灌水管１０が備えられ、培土基盤５に水を供給できる。
このように本第二の実施の形態では、枠部材７を周囲に一体化させた培土基盤５を網部材３に配置することができ、第一の実施の形態と同様の効果を得ることができる。
【００１９】
以上、本発明の第一及び第二の実施の形態による建物の緑化構造について説明したが、本発明は上記の実施の形態に限定されるものではなく、その趣旨を逸脱しない範囲で適宜変更可能である。
例えば、第一及び第二の実施の形態では培土基盤５を略正方形の外形としているが、必ずしもこの形状に限定されることはない。例えば長方形や、その他多角形、円形などであってもよい。
また、実施の形態では培土基盤５を、主成分をなす無機質発泡体に熱融着性繊維を配合させて固化させた培土基盤であるが、必ずしもこの材質に限定されることはない。要は、軽量であって、固化された状態において周囲を被覆させる必要がない培土であればよいのである。
また、第一及び第二の実施の形態では網部材３をネットなどの材質としているが、例えば軽量な金網であってもかまわない。
また、第一の実施の形態では連結部材４の張出し部４ａが培土基盤５の周囲から張り出した形状をなしているが、網部材３に固定できるように少なくとも網部材３の一部に張出し部４ａが形成されていればよい。例えば、培土基盤５の上方にのみ張り出した張出し部４ａであってもかまわない。
また、第二の実施の形態に示すようなフック形状の留め部材９に限らず、例えば紐材などの締結手段によって枠部材７と網部材３とを連結させてもかまわない。
さらに、第一の実施の形態に、第二の実施の形態のように培土基盤５に灌水管１０を備えておいてもかまわない。
【図面の簡単な説明】
【００２０】
【図１】本発明の第一の実施の形態による緑化構造を示す全体図である。
【図２】培土基盤の構造を示す図であって、（ａ）はその正面図、（ｂ）はその側面図である。
【図３】本発明の第二の実施の形態による緑化構造の培土基盤を示す図であって、（ａ）はその正面図、（ｂ）はその上面図、（ｃ）はその側面図である。
【図４】図３に示す培土基盤に使用される係止部材の図である。
【符号の説明】
【００２１】
１  緑化構造
２  設置面
３  網部材
４  骨組部材（連結部材）
４ａ  張出し部
５  培土基盤
６  植物
７  枠部材（連結部材）
８  係止部材
【図１】
2006345715.tif 000003
【図２】
2006345715.tif 000004
【図３】
2006345715.tif 000005
【図４】
2006345715.tif 000006